(57)【要約】【課題】ペアガラスのガラス板と枠との分離が容易にでき、廃材の分別を容易にすると共に再利用が可能なことにより、地球環境の保護を図ることができるペアガラスユニット及びこれを備えた遊技台を提供する。【解決手段】本発明に係るペアガラスユニット１は、左右のガラス板１１ａ、１１ｂからなるペアガラス１１と、ペアガラス１１の周縁に配置すると共に左右のガラス板１１ａ、１１ｂ間に挟持される枠１３と、枠１３に取り付けるクリップ１５とを備え、枠１３は外周側に突設する爪部２３を有し、クリップ１５は爪部２３に係止する係止部２９と、枠１３の長手方向で係止部２９に連続して設けた摘み部４１と、左右のガラス板１１ａ、１１ｂの外面に当接する左右の当接部３１とを有し、左右の当接部３１は先端３１ａほど互いの間隔を狭めてあり、弾性変形によりペアガラスの外面に圧接している。【選択図】図１
2012040041.tif 000002
【特許請求の範囲】
【請求項１】
左右のガラス板からなるペアガラスと、ペアガラスの周縁に配置すると共に左右のガラス板間に挟持される枠と、枠に取り付けるクリップとを備え、枠は外周側に突設する爪部を有し、クリップは枠の爪部に係止する係止部と、枠の長手方向で係止部に連続して設けた摘み部と、係止部の左右から延出して先端が左右のガラス板の外面に当接する左右の当接部とを有し、左右の当接部は先端ほど互いの間隔を狭めてあり、弾性変形してペアガラスの外面に圧接していることを特徴とするペアガラスユニット。
【請求項２】
クリップには、左右の各当接部と係止部との間に治具の挿入孔が形成してあり、挿入孔から挿入した治具で係止部の先端を弾性力に抗して押し広げ可能としてあることを特徴とする請求項１に記載のペアガラスユニット。
【請求項３】
爪部は枠の長手方向に間隔をあけて２つを一組として配置してあると共に、一組の爪部は互いに狭まる方向に弾性変形可能であり且つ先端に互いに離反する方向に突設した突起を有し、クリップの係止部は一組の突起間の間隔よりも狭い寸法の孔を有し、クリップの係止部の孔に一対の爪部を弾性変形させて圧入した後に弾性復帰した爪部の突起を係止部に係止してあることを特徴とする請求項２に記載のペアガラスユニット。
【請求項４】
枠には複数組の爪部が設けてあり、クリップには枠の長手方向に係止部が複数設けてあり、クリップの係止部間には連結部が形成してあり、連結部の左右の巾を係止部の左右の巾よりも狭くしてあることを特徴とする請求項３に記載のペアガラスユニット。
【請求項５】
請求項１〜４のいずれか一項に記載のペアガラスユニットを、遊技盤の前面に設けた装飾枠に固定したことを特徴とする遊技台。
【発明の詳細な説明】
【技術分野】
【０００１】
本発明は、ペアガラスユニット及びこれを備えた遊技台に関する。
【背景技術】
【０００２】
特許文献１には、遊技台の前面に設けたペアガラスユニットにおいて、ペアガラスの周縁には左右のガラス板間に枠（ガラスフレーム）を配置すると共に、枠をペアガラスの縁に固定することが開示されている。
この特許文献１には、枠の固定方法については具体的に開示されていないが、一般的には、枠は左右のガラス板に接触する左右両側の接触面と、ペアガラスの縁に当接する当接面とに接着材を塗布して、左右のガラス板に接着固定されている。
【先行技術文献】
【特許文献】
【０００３】
【特許文献１】特開２００８−１１９２４６号公報
【発明の概要】
【発明が解決しようとする課題】
【０００４】
しかし、従来のペアガラスユニットは、枠が左右のガラス板の内側面と縁とに接着材で固定されているため、遊技台を廃棄する際には、ガラス板と枠（樹脂材や金属材）との分離が困難なため、廃材の分別ができないと共に再利用ができず、地球環境に好ましくないという問題があった。
【０００５】
そこで、本発明は、ペアガラスのガラス板と枠との分離が容易にでき、廃材の分別を容易にすると共に再利用が可能なことにより、地球環境の保護を図ることができるペアガラスユニット及びこれを備えた遊技台を得ることを目的とする。
【課題を解決するための手段】
【０００６】
請求項１に記載の発明は、左右のガラス板からなるペアガラスと、ペアガラスの周縁に配置すると共に左右のガラス板間に挟持される枠と、枠に取り付けるクリップとを備え、枠は外周側に突設する爪部を有し、クリップは枠の爪部に係止する係止部と、枠の長手方向で係止部に連続して設けた摘み部と、係止部の左右から延出して先端が左右のガラス板の外面に当接する左右の当接部とを有し、左右の当接部は先端ほど互いの間隔を狭めてあり、弾性変形してペアガラスの外面に圧接していることを特徴とするペアガラスユニットである。
【０００７】
請求項２に記載の発明は、請求項１に記載の発明において、クリップには、左右の各当接部と係止部との間に治具の挿入孔が形成してあり、挿入孔から挿入した治具で係止部の先端を弾性力に抗して押し広げ可能としてあることを特徴とする。
【０００８】
請求項３に記載の発明は、請求項２に記載の発明において、爪部は枠の長手方向に間隔をあけて２つを一組として配置してあると共に、一組の爪部は互いに狭まる方向に弾性変形可能であり且つ先端に互いに離反する方向に突設した突起を有し、クリップの係止部は一組の突起間の間隔よりも狭い寸法の孔を有し、クリップの係止部の孔に一対の爪部を弾性変形させて圧入した後に弾性復帰した爪部の突起を係止部に係止してあることを特徴とする。
【０００９】
請求項４に記載の発明は、請求項３に記載の発明において、枠には複数組の爪部が設けてあり、クリップには枠の長手方向に係止部が複数設けてあり、クリップの係止部間には連結部が形成してあり、連結部の左右の巾を係止部の左右の巾よりも狭くしてあることを特徴とする。
【００１０】
請求項５に記載の発明は、請求項１〜４のいずれか一項に記載のペアガラスユニットを、遊技盤の前面に設けた装飾枠に固定したことを特徴とする遊技台である。
【発明の効果】
【００１１】
請求項１に記載の発明では、ペアガラスユニットを組み立てるときには、枠を左右のガラス板で挟持して、枠にクリップを係止することにより、クリップの左右の当接部が弾性力により各ガラス板の外面を圧接することにより、接着材を用いることなく左右のガラス板を枠に保持することができる。
【００１２】
ペアガラスユニットを廃棄するときには、クリップの摘み部を持って、クリップの係止部を枠の爪部から引き剥がすことにより、クリップを枠から除去し、枠とペアガラスとを分離する。
したがって、ペアガラスの廃棄時には、枠、ガラス板、クリップを各々分離して分別できるので、廃材の分別が容易にできると共に枠やガラス板等の再利用が可能であるから、地球環境の保護を図ることができる。また、接着材が不要である点でも、地球環境の保護に優れている。
【００１３】
ペアガラスユニットは、接着材を用いていないから、製造及び分離が容易である。特に、従来必要であった接着材の乾燥時間も不要であるから、作業時間の短縮を図ることができる。
クリップの当接部が左右のガラス板の外面を弾性により圧接しているので、枠にペアガラスを強固に保持することができる。
【００１４】
請求項２に記載の発明では、請求項１に記載の作用効果を奏すると共に、クリップの装着時には、治具を周方向外側からクリップの挿入孔に挿入し当接部を押し広げ、ペアガラスを挟むよう挿入することにより、クリップの組み付けが容易にできる。
【００１５】
請求項３に記載の発明では、請求項２に記載の作用効果を奏すると共に、枠に設けた爪部は枠の長手方向に間隔をあけて設けてあり枠の長手方向に弾性変形するので、当接部の付勢方向と爪部の付勢方向とを直角にしているから、クリップの装着時や引き剥がし時に、ペアガラスに作用する力を軽減できガラス板の破損を防止できる。
【００１６】
請求項４に記載の発明では、請求項３に記載の作用効果を奏すると共に、摘み部を治具等で摘まんで引張ると、複数設けてある係止部のうち一つが引き剥がれた後に連結部で折れ曲がり、更に摘み部を引張ることにより次の係止部を引き剥がすことになるから、係止部を順次一つずつ枠から引き剥がしできるので、複数の係止部を一度に引き剥がす場合に比較して、引き剥がすときの力が少なくて済み、分離が容易にできる。
【００１７】
請求項５に記載の発明では、請求項１〜４のいずれか一項に記載の作用効果を奏する遊技台を提供できる。
【図面の簡単な説明】
【００１８】
【図１】本実施の形態に係るペアガラスユニットの分解斜視図である。
【図２】図１に示すＣ部の拡大図である。
【図３】横枠の図であり、（ａ）は正面図、（ｂ）は平面図、（ｃ）は裏面図、（ｄ）は側面図、（ｅ）はＥ−Ｅ断面図である。
【図４】ペアガラスユニットの図であり、（ａ）は正面図、（ｂ）は平面図、（ｃ）は側面図である。
【図５】図４に示すＡ−Ａ断面図である。
【図６】（ａ）は図５に示すＢ−Ｂ断面図であり、（ｂ）はクリップを装着する操作を示す断面図である。
【図７】治具の斜視図である。
【図８】本実施の形態にかかるペアガラスユニットを用いた遊技台の斜視図である。
【発明を実施するための形態】
【００１９】
以下に、添付図面を参照して、本発明の実施の形態を詳細に説明する。図８に示すように、ペアガラスユニット１は、遊技台（パチンコ台）３における遊技盤５の前面を覆うものであり、遊技台３は、遊技盤５が設けられた本体７と、本体７に対してヒンジにより開閉自在な装飾枠９と、装飾枠９に取り付けられるペアガラスユニット１とを備えている。
【００２０】
ペアガラスユニット１は、図１及び図４に示すように、左右のガラス板１１ａ、１１ｂを間隔をあけて配置したペアガラス１１（図４参照）と、ペアガラス１１の四周縁に配置した横枠１３ａと、縦枠１３ｂと、各枠１３ａ、１３ｂに取り付けるクリップ１５とを備えている。
【００２１】
横枠１３ａと縦枠１３ｂとは樹脂材製で且つ同じ形状であるが、長手方向の寸法が異なるだけであるから、以下の説明では横枠１３ａについて説明し、縦枠１３ｂにおいて同一の作用効果を奏する部分には同一の符号を付することにより縦枠１３ｂの説明は省略する。尚、横枠１３ａ及び縦枠１３ｂは、本実施の形態ではＡＢＳ樹脂製である。
【００２２】
図１〜３に示すように、横枠１３ａは内周側に突設した本体部１７と、ガラス板１１ａ、１１ｂの端面を覆う被覆部１９とを有し、長手方向中央部の被覆部は切除されており、この切除部がクリップ１５の取付け部２１になっている。
取付け部２１では、本体部１７から周方向外側に突設した複数の爪部２３が枠の長手方向に間隔をあけて形成されている。図２に示すように、爪部２３の先端には突起２３ａが形成されており、隣り合う一組の爪部２３の突起２３ａは、枠１３ａ、１３ｂの長手方向において互いに離反する方向に突設している。本実施の形態では、３組の爪部２３が一列に並んでおり、各爪部２３は枠１３ａ、１３ｂの長手方向に弾性変形可能になっている。
【００２３】
枠１３の本体部１７には、その左右に凹部２５が形成されており、この凹部２５に弾性材からなるフリクションパッド２７が配置されている。フリクションパッド２７は、例えばシリコンゴム製である。フリクションパッド２７は、枠１３と左右のガラス板１１ａ、１１ｂとの緩衝を図ると共に枠１３に対するガラス板１１ａ、１１ｂのずれを防止する。尚、枠１３に対するガラス板１１ａ、１１ｂのずれ防止を強化する場合には、密着性の高い樹脂材、例えばゴム材を用いても良いし、粘着材や両面テープ等をフリクションパッドに貼り付けても良い。
クリップ１５は鋼材製であり、図１、図２及び図４に示すように、一枚の板金により形成されている。クリップ１５は、各枠１３ａ、１３ｂの爪部２３が係止する係止部２９ａ、２９ｂ、２９ｃと、各係止部２９ａ〜２９ｃの左右に設けた当接部３１とを有している。
【００２４】
係止部２９ａ〜２９ｃは、枠１３ａ、１３ｂの長手方向に複数個、本実施の形態では３個設けてあり、各係止部２９ａ〜２９ｃには、孔２８が形成してある。図２に示すように、孔２８において、枠の長手方向に沿う方向の寸法Ｍが、隣り合う一組の爪部２３、２３の突起２３ａ、２３ａの間隔Ｎよりも狭くなっており、孔２８に一組の爪部２３、２３の間隔を狭めるように弾性変形して挿入後、爪部２３、２３が弾性復帰して各係止部２９ａ〜２９ｃに突起２３ａ、２３ａが係止している。
【００２５】
隣り合う係止部２９ａ、２９ｂ及び２９ｂ、２９ｃを連結する連結部３３はその幅を狭くしてあり、剛性を小さくしている。
各係止部２９ａ〜２９ｃの左右に設けた当接部３１は、各係止部２９ａ〜２９ｃから鋭角に折り曲げてあり、左右の当接部３１、３１の間隔は、先端３１ａ、３１ａほど間隔を狭めている。そして、先端３１ａ、３１ａが左右の板ガラス１１ａ、１１ｂの外側面に圧接している。
【００２６】
クリップ１５において長手方向の各端部には、摘み部４１が設けてある。各摘み部４１は、ラジオペンチ等の器具で摘んで枠１３ａ、１３ｂから周方向外方向に引き外すことにより、クリップ１５を枠１３ａ、１３ｂから引き剥がすようになっている。尚、摘み部４１に設けてある孔はラジオペンチ等の器具の先端を挿入する孔である。
【００２７】
以下に、本実施の形態によるペアガラスユニット１の製造及び廃棄処理について説明する。
ペアガラスユニット１の製造は、図１に示すように、横枠１３ａと縦枠１３ｂとを枠組して、各枠１３ａ、１３ｂの凹部２５に各々フリクションパッド２７を配置する。そして、枠１３ａ、１３ｂの各本体部１７を挟むように、枠１３に左右のガラス板１１ａ、１１ｂを嵌める。
【００２８】
次に、各横枠１３ａ、縦枠１３ｂにクリップ１５を取付ける。クリップ１５の取付けは、図６（ｂ）に示すように、各係止部２９ａ〜２９ｃと当接部３１との間に形成されている各孔３７に図７に示すような治具３６の足３６ａを差し込んで、当接部３１を押し開いて、枠１３の取付け部２１に押し込む。クリップ１５の係止部２９ａ〜２９ｃでは、爪部２３が弾性変形して間隔を狭め、一組の爪部２３、２３の突起２３ａ、２３ａが孔２８を抜けたところで弾性復帰して係止部２９ａ〜２９ｃに係止する。尚、当接部３１は先端３１ａをその弾性復帰力により左右のガラス板１１ａ、１１ｂの外面を圧接して保持する。
【００２９】
このように、本実施の形態によれば、クリップ１５を枠１３ａ、１３ｂの取付け部２１に押し込むだけで簡単にペアガラス１１と枠１３との固定ができる。
【００３０】
ペアガラスユニット１を廃棄するときには、図５に示すように、クリップ１５の長手方向の端部に設けてある摘み部４１をラジオペンチ等の治具４２で挟み、枠１３の周方向外側へ引き離す。これにより、摘み部４１に隣接する係止部２９ａについて爪部２３との係合が外れ、クリップ１５は未だ爪部２３に係止している係止部２９ｂとの連結部３３では剛性が係止部２９よりも弱いため、連結部３３で折れ曲がり、更に摘み部４１を枠１３の周方向外側へ引き離すことにより、係止部２９ａ、２９ｂ、２９ｃをこの順序で順次引き剥がす。このように、係止部２９ａ、２９ｂ、２９ｃを各爪部２３から引き剥がすので、これらの係止部２９ａ〜２９ｃを一度に引き剥がす場合に比較して小さな力でクリップ１５を外すことができる。
【００３１】
クリップ１５を外した後、左右のガラス板１１ａ、１１ｂを枠１３から外し、枠１３からフリクションパッド２７を除去して、枠１３を横枠１３ａと縦枠１３ｂとに分解する。
したがって、本実施の形態によれば、ガラス板１１ａ、１１ｂ、樹脂製の横枠１３ａ、縦枠１３ｂ、フリクションパッド２７、金属性のクリップ１５を分別して廃棄することができる。
また、左右のガラス板１１ａ、１１ｂ、横枠１３ａや縦枠１３ｂ等の主要部材の再利用が可能である。
【００３２】
本実施の形態によれば、ペアガラスユニット１を組み立てるときには、枠１３を左右のガラス板１１ａ、１１ｂに挟持して、枠１３にクリップ１５を係止することにより、クリップ１５の当接部３１、３１が弾性力によりガラス板１１ａ、１１ｂの外面に当接するので、接着材を用いることなく左右のガラス板１１ａ、１１ｂを間隔をあけて枠１３に保持することができる。
【００３３】
ペアガラスユニット１の廃棄時には、枠１３、ガラス板１１ａ、１１ｂ、クリップ１５を各々分別できるので、廃材の分別が容易にできると共にガラス板１１ａや１１ｂ、枠１３の再利用が可能であるから、地球環境の保護を図ることができる。また、接着材が不要である点でも、地球環境の保護に優れている。
【００３４】
ペアガラスユニット１は、接着材を用いていないから、製造及び廃棄が容易である。特に、従来必要であった接着材の乾燥時間も不要であるから、作業時間の短縮を図ることができる。
クリップ１５は、左右のガラス板１１ａ、１１ｂの外面を弾性により圧接しているので、枠１３にペアガラス１１を強固に保持することができる。
【００３５】
クリップ１５の装着時には、治具３６を周方向外側からクリップ１５の挿入孔３７に挿入し当接部３１、３１を押し広げて、当接部３１、３１間にペアガラス１１を挿入するので、クリップ１５の組み付けが容易である。
【００３６】
枠１３に設けた爪部２３は枠１３の長手方向に間隔をあけて設けてあり、枠１３の長手方向に弾性変形するので、当接部３１、３１の付勢方向と各係止部２９ａ〜２９ｃによる付勢方向とを直角にしているから、クリップ１５の装着時や引き剥がし時に、左右のガラス板１１ａ、１１ｂに作用する力を軽減できガラス板１１ａ、１１ｂの破損を防止できる。
【００３７】
本発明は、上述した実施の形態に限らず、本発明の要旨を逸脱しない範囲で種々変形可能である。
例えば、ペアガラスユニット１は、遊技台３に限らず、自動販売機やサッシ等に用いるものであっても良い。
横枠１３ａ、縦枠１３ｂに設ける取付け部２１は、各々長手方向中央にのみ設けることに限らず、各枠１３ａ、１３ｂに取付け部２１を等間隔に複数設けて、各々の取付け部２１にクリップ１５を取り付けても良い。
【００３８】
クリップ１５の係止部２９ａ〜２９ｃは３つに限らず、２つでも良いし１つでも良い。この場合、爪部２３の数も係止部２９ａ〜２９ｃの数に対応して形成することが望ましい。
枠１３は金属材であってもよく、クリップ１５を樹脂材としても良く、材質は限定されない。
【符号の説明】
【００３９】
１      ペアガラスユニット
３      遊技台
１１    ペアガラス
１１ａ  左ガラス板
１１ａ  右ガラス板
１３    枠
１３ａ  横枠
１３ｂ  縦枠
１５    クリップ
２３    爪部
２３ａ  突起
２８    孔
２９ａ〜２９ｃ    係止部
３１    当接部
３３    連結部
３６    治具
３７    治具の挿入孔
４１    摘み部
【図１】
2012040041.tif 000003
【図２】
2012040041.tif 000004
【図３】
2012040041.tif 000005
【図４】
2012040041.tif 000006
【図５】
2012040041.tif 000007
【図６】
2012040041.tif 000008
【図７】
2012040041.tif 000009
【図８】
2012040041.tif 000010